(57)【要約】      （修正有）【課題】脚ベースの角度を調整することにより、平たんでない支持面に載置できるようにし、機械又は設備のバランスをとることができる、脚ベースの関節構造を提供する。【解決手段】脚ベースの関節構造は、１本の支持杆２０、１つのベース３０及び１つの係合部材１３を備える。支持杆２０は、１つのボール部２７を有する。ベース３０は、支持杆のボール部を受ける１つの凹部３３を有し、凹部の開口に隣接した箇所に１本の溝３４が形成される。係合部材１３は、溝に配設され、ボール部が開口を介して凹部から外れることを防ぎ、ボール部は、ベースに干渉せずに転動可能である。支持杆２０は、互いに接続された１つの雄ねじ部２３及び１つの非ねじ部２４を有する。ボール部は、非ねじ部の一部である。【選択図】図１
0003231464.tif 000002
【実用新案登録請求の範囲】
【請求項１】
１本の支持杆（２０）、１つのベース（３０）及び１つの係合部材（１３）を備えた、脚ベースの関節構造であって、
前記支持杆（２０）は、１つのボール部（２７）を有し、
前記ベース（３０）は、前記支持杆（２０）の前記ボール部（２７）を受ける１つの凹部（３３）を有し、前記凹部（３３）の開口に隣接した箇所には１本の溝（３４）が形成され、
前記係合部材（１３）は、前記溝（３４）に配設され、前記ボール部（２７）が開口を介して前記凹部（３３）から外れることを防ぎながら、前記ボール部（２７）は、前記ベース（３０）に干渉せずに転動可能であることを特徴とする、脚ベースの関節構造。
【請求項２】
前記支持杆（２０）は、互いに接続された１つの雄ねじ部（２３）及び１つの非ねじ部（２４）を有し、
前記ボール部（２７）は、前記非ねじ部（２４）の一部であることを特徴とする請求項１に記載の脚ベースの関節構造。
【請求項３】
前記非ねじ部（２４）は、前記雄ねじ部（２３）に接続された１つの円柱（２５）を有することを特徴とする請求項２に記載の脚ベースの関節構造。
【請求項４】
前記非ねじ部（２４）は、１つの六角部（２６）を有し、
前記円柱（２５）は、前記雄ねじ部（２３）及び前記六角部（２６）を一体化し、
前記ボール部（２７）の直径は、前記六角部（２６）の対角距離より小さいことを特徴とする請求項３に記載の脚ベースの関節構造。
【請求項５】
前記非ねじ部（２４）は、前記六角部（２６）と前記ボール部（２７）とを接続する首部（２８）を有することを特徴とする請求項４に記載の脚ベースの関節構造。
【請求項６】
前記首部（２８）の直径は、前記ボール部（２７）の直径より小さいことを特徴とする請求項５に記載の脚ベースの関節構造。
【請求項７】
前記係合部材（１３）はＣリングであることを特徴とする請求項１〜６の何れか１項に記載の脚ベースの関節構造。
【考案の詳細な説明】
【技術分野】
【０００１】
本考案は、所定の高さに支持する分野に関し、特に、脚ベースの関節構造に関する。
【背景技術】
【０００２】
従来、脚ベースは、機械又は設備の底部に設置される。脚ベースは、機械又は設備を支持し、例えば、地面又は床などの支持面上に載置される。
【０００３】
しかし、支持面が平坦でない場合、機械又は設備が傾き、ワークピースの精度が下がり、製品の品質に影響を与えてしまうことがあった。そのため、一部の脚ベースは、高さを調整することにより、全体の水平状態を調整し、機械又は設備を平たんでない支持面に適応させ、バランスをとっていた。
【０００４】
このことに鑑み、本考案者は多大な労力をかけて脚ベースを研究・開発し、既に一定の成果を得て、台湾において、例えば台湾実用新案公告第Ｍ５８７７１８号公報（特許文献１）のような実用新案登録を受けている。
【先行技術文献】
【特許文献】
【０００５】
【特許文献１】台湾実用新案公告第Ｍ５８７７１８号公報
【考案の概要】
【考案が解決しようとする課題】
【０００６】
本考案の目的は、脚ベースの角度を調整することにより、平たんでない支持面に載置することができるようにする上、機械又は設備のバランスをとることができる、脚ベースの関節構造を提供することにある。
【課題を解決するための手段】
【０００７】
こうした現状に鑑み、本考案者は鋭意研究を重ねた結果、従来技術の問題点を改善し、本考案を完成させたものであり、上記課題を解決するために、本考案の第１の形態によれば、１本の支持杆（２０）、１つのベース（３０）及び１つの係合部材（１３）を備えた、脚ベースの関節構造であって、前記支持杆（２０）は、１つのボール部（２７）を有し、前記ベース（３０）は、前記支持杆（２０）の前記ボール部（２７）を受ける１つの凹部（３３）を有し、前記凹部（３３）の開口に隣接した箇所には１本の溝（３４）が形成され、前記係合部材（１３）は、前記溝（３４）に配設され、前記ボール部（２７）が開口を介して前記凹部（３３）から外れることを防ぎながら、前記ボール部（２７）は、前記ベース（３０）に干渉せずに転動可能であることを特徴とする、脚ベースの関節構造を提供する。
【０００８】
前記支持杆（２０）は、互いに接続された１つの雄ねじ部（２３）及び１つの非ねじ部（２４）を有し、前記ボール部（２７）は、前記非ねじ部（２４）の一部であることが好ましい。
【０００９】
前記非ねじ部（２４）は、前記雄ねじ部（２３）に接続された１つの円柱（２５）を有することが好ましい。
【００１０】
前記非ねじ部（２４）は、１つの六角部（２６）を有し、前記円柱（２５）は、前記雄ねじ部（２３）及び前記六角部（２６）を一体化し、前記ボール部（２７）の直径は、前記六角部（２６）の対角距離より小さいことが好ましい。
【００１１】
前記非ねじ部（２４）は、前記六角部（２６）と前記ボール部（２７）とを接続する首部（２８）を有することが好ましい。
【００１２】
前記首部（２８）の直径は、前記ボール部（２７）の直径より小さいことが好ましい。
【００１３】
前記係合部材（１３）はＣリングであることが好ましい。
【考案の効果】
【００１４】
本考案の脚ベースの関節構造は、係合部材によりボール部をベースの凹部に結合させて関節構造を構成し、関節構造により脚ベースの角度を調整することにより、平たんでない支持面に載置できるようにし、機械又は設備のバランスをとることができる。
【図面の簡単な説明】
【００１５】
【図１】図１は、本考案の一実施形態に係る脚ベースの関節構造を示す分解斜視図である。
【図２】図２は、本考案の一実施形態に係る脚ベースの関節構造を組立てた状態を示す斜視図である。
【図３】図３は、本考案の一実施形態に係る脚ベースの関節構造を組立てた状態を示す断面図である。
【図４】図４は、本考案の一実施形態に係る脚ベースの関節構造の使用状態の断面図である。
【考案を実施するための形態】
【００１６】
以下、本考案の実施形態について図に基づいて説明する。なお、これによって本考案が限定されるものではない。
【００１７】
図１を参照する。本考案の一実施形態に係る脚ベースの関節構造は、１つの係合部材１３、１本の支持杆２０及び１つのベース３０から構成された脚ベース１０を備える。詳細には、支持杆２０及びベース３０が係合部材１３を介して結合され、脚ベース１０が構成される。
【００１８】
図１を参照する。図１に示すように、本考案の一実施形態に係る脚ベースの関節構造の支持杆２０の両端は、接続端２１及び結合端２２に成形される。接続端２１には、雄ねじ部２３が延設され、非ねじ部２４を介して結合端２２に至るまで延びる。上述した非ねじ部２４は、１つの円柱２５、１つの六角部２６、１つのボール部２７及び１つの首部２８を含む（図３を参照する）。雄ねじ部２３と六角部２６とは、円柱２５を介して接続され、一体化される。六角部２６は、首部２８を介してボール部２７に接続され、ボール部２７の球面中央部は支持杆２０の結合端２２として用いられる。首部２８の直径は、ボール部２７の直径より小さい。ボール部２７の直径は、六角部２６の対角距離より小さい。
【００１９】
ベース３０には、軸心方向で１つの凹部３３が上面３１から底面３２に向かって延びて所定の深さが形成されている。ベース３０の上面３１の中央部には、凹部３３の開口が形成されている。ベース３０には、周面３５が囲むように形成されている（図３を参照する）。周面３５は、凹部３３の深い箇所に位置する１つの円錐面３６に接続され（図３を参照する）、円錐面３６により、凹部３３を閉止する底面が形成されている。周面３５の直径は、ボール部２７の直径より大きい。周面３５の凹部３３の開口に隣接した箇所には、溝３４が形成される。溝３４の直径は、凹部３３の直径より大きい。
【００２０】
図２及び図３を参照する。図２及び図３に示すように、本実施形態に係る係合部材１３はＣリングである。Ｃリングは、径が絞られ、開口から凹部３３中に挿入される。係合部材１３は、溝３４に挿入されると直径が元に戻る。ベース３０に囲むように形成された溝３４の壁により、係合部材１３が凹部３３の底面に落下することを防ぐ。
【００２１】
実際に結合するときは、支持杆２０の結合端２２を、ベース３０の凹部３３に挿入し、係合部材１３により１つの関節構造を組立てる。ボール部２７は、凹部３３の開口に挿通される。係合部材１３の内側の直径は、ボール部２７の直径より小さい。ボール部２７は、係合部材１３の直径を広げながらベース３０に押し込まれる。ボール部２７が凹部３３の底面に移動すると、係合部材１３が元の直径に戻るため、ボール部２７が開口を介して凹部３３から外れることを防ぎながら、ベース３０に干渉せずにボール部２７が転動可能である。
【００２２】
そのため、支持杆２０の接続端２１は、１つのナット１１に挿通される。ナット１１の１つの雌ねじ穴１２は、雄ねじ部２３に螺接され、脚ベース１０が１つの機械又は設備の底部に取付けられる（図示せず）。必要に応じて、六角部２６に１つの工具（例えば開口スパナ）を装着し、ナット１１を雄ねじ部２３と組み合わせて脚ベース１０の取付け作業を行ってもよい。
【００２３】
ボール部２７が凹部３３の円錐面３６に接触されるため、関節構造は重力により支持杆２０をベース３０に対して垂直に立設させることができる。このとき首部２８が六角部２６を支持し、ベース３０の上面３１に対して一定の距離が保持され、ベース３０の底面３２が大きめの面積を有するため、機械又は設備を地面又は床などの支持面上に安定的に載置させることができる。
【００２４】
図４に示すように、本実施形態に係る脚ベースの関節構造は、支持杆２０を角度１４で揺動させることができるため、ベース３０が傾いていても、機械又は設備を平たんでない支持面に適応させてバランスをとることができる。
【００２５】
一般に、六角部２６がベース３０の上面３１に接触されたときのベース３０に対して支持杆２０が傾く角度１４は、関節構造の最大角度を表す。
【００２６】
当該分野の技術を熟知するものが理解できるように、本考案の好適な実施形態を前述の通り開示したが、これらは決して本考案を限定するものではない。本考案の主旨と領域を逸脱しない範囲内で各種の変更や修正を加えることができる。従って、本考案の実用新案登録請求の範囲は、このような変更や修正を含めて広く解釈されるべきである。
【符号の説明】
【００２７】
１０  脚ベース
１１  ナット
１２  雌ねじ穴
１３  係合部材
１４  角度
２０  支持杆
２１  接続端
２２  結合端
２３  雄ねじ部
２４  非ねじ部
２５  円柱
２６  六角部
２７  ボール部
２８  首部
３０  ベース
３１  上面
３２  底面
３３  凹部
３４  溝
３５  周面
３６  円錐面
【図１】
0003231464.tif 000003
【図２】
0003231464.tif 000004
【図３】
0003231464.tif 000005
【図４】
0003231464.tif 000006